(57)【要約】【課題】携帯端末装置から暖房運転の開始の指示が可能な暖房システムにおいて、無駄なエネルギーの消費を抑制することが可能な技術を提供する。【解決手段】本明細書に開示する暖房システムは、家屋に設置されており、暖房運転を実行可能な暖房装置と、家屋に設置されており、暖房装置と通信可能な固定端末装置と、暖房装置と通信可能な携帯端末装置を備えている。暖房装置は、携帯端末装置から暖房運転の開始を指示された場合に、所定の終了条件が満たされた場合に、自動的に暖房運転を終了する。暖房装置は、固定端末装置から暖房運転の開始を指示された場合に、所定の終了条件が満たされた場合であっても、自動的に暖房運転を終了しない。【選択図】図１
2019035530.tif 000002
【特許請求の範囲】
【請求項１】
家屋に設置されており、暖房運転を実行可能な暖房装置と、
前記家屋に設置されており、前記暖房装置と通信可能な固定端末装置と、
前記暖房装置と通信可能な携帯端末装置を備えており、
前記暖房装置は、前記携帯端末装置から前記暖房運転の開始を指示された場合は、所定の終了条件が満たされた場合に、自動的に前記暖房運転を終了し、
前記暖房装置は、前記固定端末装置から前記暖房運転の開始を指示された場合は、前記所定の終了条件が満たされた場合であっても、自動的に前記暖房運転を終了しない、暖房システム。
【請求項２】
前記所定の終了条件が、前記暖房運転の開始からの経過時間が所定期間に達することを含んでいる、請求項１の暖房システム。
【請求項３】
前記携帯端末装置が前記家屋の内部に位置するか否かを判別する判別装置をさらに備えており、
前記暖房装置は、前記携帯端末装置が前記家屋の内部に位置すると判別されており、かつ前記携帯端末装置から前記暖房運転の開始を指示された場合は、前記所定の終了条件が満たされた場合であっても、自動的に前記暖房運転を終了しない、請求項１または２の暖房システム。
【請求項４】
前記暖房装置は、前記携帯端末装置から前記暖房運転の開始を指示された後、自動的に前記暖房運転を終了する前に、前記携帯端末装置が前記家屋の内部に位置すると判別された場合は、前記所定の終了条件が満たされた場合であっても、自動的に前記暖房運転を終了しない、請求項１から３の何れか一項の暖房システム。
【請求項５】
前記暖房装置が、床暖房装置を備えている、請求項１から４の何れか一項の暖房システム。
【発明の詳細な説明】
【技術分野】
【０００１】
本明細書で開示する技術は、暖房システムに関する。
【背景技術】
【０００２】
特許文献１には、家屋に設置されており、暖房運転を実行可能な暖房装置と、前記家屋に設置されており、前記暖房装置と通信可能な固定端末装置と、前記暖房装置と通信可能な携帯端末装置を備える暖房システムが開示されている。この暖房システムでは、固定端末装置から暖房装置に暖房運転の開始を指示することもできるし、携帯端末装置から暖房装置に暖房運転の開始を指示することもできる。
【先行技術文献】
【特許文献】
【０００３】
【特許文献１】特開２００２−２４３２４９号公報
【発明の概要】
【発明が解決しようとする課題】
【０００４】
ユーザが、外出先から携帯端末装置を介して暖房装置に暖房運転の開始を指示した後、暖房運転を実行中であることを失念して、長時間にわたって帰宅しないことがある。このような場合、ユーザが不在であるにも関わらず、暖房装置における暖房運転が長時間にわたって実行されることになり、無駄なエネルギーの消費を招いてしまう。携帯端末装置から暖房運転の開始の指示が可能な暖房システムにおいて、無駄なエネルギーの消費を抑制することが可能な技術が期待されている。
【課題を解決するための手段】
【０００５】
本明細書に開示する暖房システムは、家屋に設置されており、暖房運転を実行可能な暖房装置と、前記家屋に設置されており、前記暖房装置と通信可能な固定端末装置と、前記暖房装置と通信可能な携帯端末装置を備えている。前記暖房装置は、前記携帯端末装置から前記暖房運転の開始を指示された場合は、所定の終了条件が満たされた場合に、自動的に前記暖房運転を終了する。前記暖房装置は、前記固定端末装置から前記暖房運転の開始を指示された場合は、前記所定の終了条件が満たされた場合であっても、自動的に前記暖房運転を終了しない。
【０００６】
上記の構成によれば、暖房装置は、携帯端末装置から暖房運転の開始を指示された場合は、所定の終了条件が満たされた場合に、自動的に暖房運転を終了する。従って、ユーザが、外出先から携帯端末装置を介して暖房装置に暖房運転の開始を指示した後、長時間にわたって帰宅しない場合には、所定の終了条件が満たされた時点で、暖房運転が自動的に終了する。これによって、ユーザが不在であるにも関わらず、暖房装置における暖房運転が長時間にわたって実行されることを防止し、無駄なエネルギーの消費を抑制することができる。また、上記の構成によれば、暖房装置は、固定端末装置から暖房運転の開始を指示された場合は、所定の終了条件が満たされた場合であっても、自動的に暖房運転を終了しない。固定端末装置から暖房運転の開始が指示される場合、ユーザは在宅中であると考えられる。従って、このような場合にまで、暖房運転を自動的に終了してしまうと、ユーザの利便性を損なってしまう。上記の構成によれば、このような場合については、所定の終了条件が満たされた場合であっても、自動的に暖房運転を終了しないことで、ユーザの利便性を確保することができる。
【０００７】
上記の暖房システムにおいて、前記所定の終了条件は、前記暖房運転の開始からの経過時間が所定期間に達することを含んでいてもよい。
【０００８】
上記の構成によれば、暖房装置は、携帯端末装置から暖房運転の開始を指示された場合に、暖房運転の開始から所定期間が経過すると、自動的に暖房運転を終了する。これによって、ユーザが不在であるにも関わらず、暖房装置における暖房運転が長時間にわたって実行されることを防止し、無駄なエネルギーの消費を抑制することができる。
【０００９】
上記の暖房システムは、前記携帯端末装置が前記家屋の内部に位置するか否かを判別する判別装置をさらに備えていてもよく、前記暖房装置は、前記携帯端末装置が前記家屋の内部に位置すると判別されており、かつ前記携帯端末装置から前記暖房運転の開始を指示された場合は、前記所定の終了条件が満たされた場合であっても、自動的に前記暖房運転を終了しなくてもよい。
【００１０】
携帯端末装置が家屋の内部に位置する状況で、携帯端末装置から暖房運転の開始を指示された場合、ユーザは在宅中であると考えられる。従って、このような場合にまで、暖房運転を自動的に終了してしまうと、ユーザの利便性を損なってしまう。上記の構成によれば、このような場合については、所定の終了条件が満たされた場合であっても、自動的に暖房運転を終了しないことで、ユーザの利便性を確保することができる。
【００１１】
上記の暖房システムにおいて、前記暖房装置は、前記携帯端末装置から前記暖房運転の開始を指示された後、自動的に前記暖房運転を終了する前に、前記携帯端末装置が前記家屋の内部に位置すると判別された場合は、前記所定の終了条件が満たされた場合であっても、自動的に前記暖房運転を終了しなくてもよい。
【００１２】
仮に、ユーザが、外出先から携帯端末装置を介して暖房運転の開始を指示した場合であっても、その後に、携帯端末装置が家屋の内部に位置すると判別された場合は、ユーザがすでに帰宅したものと考えられる。従って、このような場合にまで、暖房運転を自動的に終了してしまうと、ユーザの利便性を損なってしまう。上記の構成によれば、このような場合については、所定の終了条件が満たされた場合であっても、自動的に暖房運転を終了しないことで、ユーザの利便性を確保することができる。
【００１３】
上記の暖房システムにおいて、前記暖房装置は、床暖房装置を備えていてもよい。
【００１４】
床暖房装置は、他の暖房装置に比べて、暖房運転の開始から室内が十分に暖まるまでに時間を要するので、ユーザが、外出先から携帯端末装置を介して暖房運転の開始を指示する機会が多いと考えられる。上記の構成によれば、ユーザが、外出先から携帯端末装置を介して暖房運転の開始を指示する機会が多い床暖房装置において、ユーザが不在であるにも関わらず、暖房運転が長時間にわたって実行されることを防止し、無駄なエネルギーの消費を抑制することができる。
【図面の簡単な説明】
【００１５】
【図１】実施例の給湯暖房システム２の概略構成を示す図である。
【図２】実施例の給湯暖房装置４の概略構成を示す図である。
【図３】実施例の給湯暖房システム２において、居室リモコン８から暖房運転の開始が指示された場合の動作の例を説明するフローチャートである。
【図４】実施例の給湯暖房システム２において、携帯端末装置１６から暖房運転の開始が指示された場合の動作の例を説明するフローチャートである。
【図５】実施例の給湯暖房システム２において、携帯端末装置１６から暖房運転の開始が指示された場合の動作の別の例を説明するフローチャートである。
【発明を実施するための形態】
【００１６】
（実施例）
図１は、一実施例に係る給湯暖房システム２の概略の構成を示している。給湯暖房システム２は、水を加熱して台所や浴室への給湯を行うとともに、暖房用熱媒を加熱して居室の暖房を行う給湯暖房装置４と、給湯暖房装置４を操作するための台所リモコン６および居室リモコン８を備えている。台所リモコン６と居室リモコン８は、それぞれ、信号線を介して給湯暖房装置４に接続されている。ユーザは、台所リモコン６を操作して、給湯暖房装置４に対し、給湯に関する動作指令を送ることができる。また、ユーザは、居室リモコン８を操作して、給湯暖房装置４に対し、暖房に関する動作指令を送ることができる。また、台所リモコン６や居室リモコン８では、給湯暖房装置４から、給湯暖房装置４の動作状態等様々な情報を受信して、これをユーザに対して表示することができる。台所リモコン６や居室リモコン８は、固定端末装置ということができる。台所リモコン６は、無線通信を介してルータ１０に接続されている。ルータ１０は、インターネット１２に接続されている。給湯暖房装置４、台所リモコン６、居室リモコン８およびルータ１０は、家屋Ｈに据え付けられている。
【００１７】
サーバ１４は、給湯暖房装置４の製造元によって管理されている。サーバ１４は、家屋Ｈの外部に設けられている。サーバ１４は、インターネット１２を介して、台所リモコン６と通信可能である。サーバ１４は、台所リモコン６を介して、給湯暖房装置４の動作状態等の情報を取得可能である。また、サーバ１４は、台所リモコン６を介して、給湯暖房装置４に対して動作指令を送信可能である。
【００１８】
携帯端末装置１６は、例えば携帯電話、スマートフォン等の、給湯暖房装置４のユーザにより携帯される端末装置である。携帯端末装置１６は、インターネット１２を介して、サーバ１４と通信可能である。携帯端末装置１６は、ユーザからの操作に応じて、サーバ１４を介して、給湯暖房装置４の動作状態等の情報を取得することができる。また、携帯端末装置１６は、ユーザからの操作に応じて、サーバ１４を介して、給湯暖房装置４に動作指令を送信することができる。
【００１９】
図２に示すように、給湯暖房装置４は、主に、ヒートポンプ４０と、給湯暖房ユニット５０と、タンク４１と、暖房機７０と、制御部９０と、を備えている。
【００２０】
タンク４１は、水を貯める密閉容器である。タンク４１の内部には、低温の水の層の上に高温の水の層が積み重なって、温度成層が形成されている。タンク４１には、上水道からタンク４１の下部へ低温の水を供給する給水管４２と、タンク４１の上部から高温の水を出湯する出湯管４３が接続されている。出湯管４３は、給湯暖房ユニット５０に接続されており、タンク４１からの水を給湯暖房ユニット５０に送る。タンク４１には、複数の温度センサ（図示省略）が高さ方向に沿って配置されている。複数の温度センサは制御部９０に接続されており、それらの検出結果に基づいて、制御部９０はタンク４１内の蓄熱量を把握することができる。
【００２１】
出湯管４３には、給水バイパス管４４を通じて、給水管４２が接続されている。給水バイパス管４４は、出湯管４３を流れる高温の水に、給水管４２からの低温の水を混合する。給水バイパス管４４と出湯管４３の接続位置には、給湯側混合弁４５が設けられている。給湯側混合弁４５は、制御部９０に接続されており、その動作は制御部９０によって制御される。制御部９０は、給湯側混合弁４５を制御することにより、タンク４１からの出湯温度を、ユーザの指定した給湯設定温度に調整することができる。
【００２２】
ヒートポンプ４０は、大気中から採熱して、水や暖房用熱媒を加熱する。ヒートポンプ４０は、タンク４１の下部から低温の水を吸い出して加熱し、高温となった水をタンク４１の上部に戻す。タンク４１の水の循環は、ヒートポンプ４０の蓄熱循環ポンプ（図示省略）によって行われる。
【００２３】
給湯暖房ユニット５０は、都市ガス等の可燃性ガスを燃焼させて、水や暖房用熱媒を加熱する。前述したように、給湯暖房ユニット５０には、出湯管４３を通じて、タンク４１からの高温の水が送られる。ユーザの指定した給湯設定温度に対して、タンク４１からの出湯温度が低い場合、給湯暖房ユニット５０は、給湯用のバーナ（図示省略）を点火して水を加熱する。給湯設定温度まで加熱された水は、給湯管４６を通じて給湯箇所に供給される。または、風呂管４７を通して、浴槽５１に供給される。
【００２４】
給湯管４６には、給湯バイパス管４９を通じて、出湯管４３が接続されている。給湯バイパス管４９は、出湯管４３の水を、給湯管４６へ直接送ることができる。また、給湯バイパス管４９には、バイパス制御弁５２が設けられている。バイパス制御弁５２は、制御部９０に接続されており、その動作は制御部９０によって制御される。給湯暖房ユニット５０での加熱が不要であれば、制御部９０はバイパス制御弁５２を開弁し、給湯暖房ユニット５０をバイパスさせることができる。また、制御部９０は、バイパス制御弁５２の開度を調節し、出湯管４３の水の一部を給湯暖房ユニット５０に送るとともに、残りの部分は給湯暖房ユニット５０をバイパスさせることで、給湯温度を細かに調整することもできる。
【００２５】
給湯暖房ユニット５０は、浴槽５１の水を循環加熱（追い焚き）することもできる。給湯暖房ユニット５０は、風呂管４７を介して、浴槽５１に接続されている。浴槽５１の水は、給湯暖房ユニット５０へ送られ加熱された後、浴槽５１に戻される。浴槽５１の水の循環は、給湯暖房ユニット５０の風呂ポンプ（図示省略）によって行われる。なお、給湯暖房装置４の内部において、浴槽５１の水を循環させる経路は、衛生面を考慮して、前述した給湯管４６に繋がる経路とは独立して設けられている。
【００２６】
給湯暖房ユニット５０は、暖房機７０（本実施例では床暖房機）に接続されており、加熱した暖房用熱媒を暖房機７０に送る。暖房用熱媒は、一例であるが、不凍液である。暖房用熱媒は、給湯暖房ユニット５０の暖房用のバーナ（図示省略）により加熱された後、暖房送り管６０を通じて、暖房機７０に送られる。暖房機７０で放熱した暖房用熱媒は、第１暖房戻り管６２を通ってヒートポンプ４０に送られた後、第２暖房戻り管６４を通って給湯暖房ユニット５０に戻される。即ち、ヒートポンプ４０において暖房用熱媒の一次加熱が行われる。暖房用熱媒の循環は、給湯暖房ユニット５０の暖房循環ポンプ（図示省略）によって行われる。なお、第２暖房戻り管６４には、暖房バイパス管６６を通じて、第１暖房戻り管６２が接続されている。暖房バイパス管６６と第２暖房戻り管６４の接続位置には、暖房側混合弁６８が設けられている。暖房側混合弁６８は、制御部９０に接続されており、その動作は制御部９０によって制御される。例えばヒートポンプ４０の運転が停止している場合、制御部９０は、暖房側混合弁６８を制御することにより、暖房機７０からの暖房用熱媒を給湯暖房ユニット５０へ直接的に送り戻すことができる。
【００２７】
上述したように、制御部９０は、各部に配置されたセンサからの情報を得て、給湯暖房装置４の動作状態を把握している。また、制御部９０は、通信線を介して、台所リモコン６および居室リモコン８と通信可能である。制御部９０は、台所リモコン６および居室リモコン８からの動作指令に従って、各種の弁（給湯側混合弁４５、バイパス制御弁５２、暖房側混合弁６８）、ヒートポンプ４０、給湯暖房ユニット５０のバーナなどを制御する。また、制御部９０は、上記のように把握された給湯暖房装置４の動作状態など様々な情報を台所リモコン６および居室リモコン８に送信する。台所リモコン６および居室リモコン８では、これらの情報を表示することができる。
【００２８】
さらに、図１に関連して上述したように、台所リモコン６は、インターネット１２を介して、サーバ１４および携帯端末装置１６と通信可能である。台所リモコン６は、サーバ１４や携帯端末装置１６に、制御部９０から取得した給湯暖房装置４の動作状態などの様々な情報を送信する。また、台所リモコン６は、サーバ１４や携帯端末装置１６から、給湯暖房装置４に対する動作指令を受信すると、その動作指令を制御部９０に送信する。
【００２９】
（居室リモコン８からの開始操作による暖房運転）
以下では図３を参照しながら、給湯暖房システム２において、ユーザが居室リモコン８を操作して暖房運転の開始を指示した場合の動作の例について説明する。居室リモコン８から暖房機７０に対する暖房運転の開始が指示されると、制御部９０は図３の処理を実行する。
【００３０】
ステップＳ２では、制御部９０は、給湯暖房ユニット５０の暖房循環ポンプを駆動して暖房用熱媒の循環を開始するとともに、ヒートポンプ４０を駆動して暖房用熱媒の加熱を開始する。これによって、暖房機７０において暖房用熱媒が放熱して、暖房機７０における暖房運転が開始される。なお、制御部９０は、必要に応じて、給湯暖房ユニット５０のバーナを駆動して暖房用熱媒の加熱を行う。
【００３１】
ステップＳ４では、制御部９０は、居室リモコン８およびサーバ１４に、暖房機７０が暖房運転を実行中であることを通知する。居室リモコン８では、暖房機７０が暖房運転を実行中であることを表示するとともに、暖房機７０に対する暖房運転の開始操作を禁止する。また、サーバ１４は、携帯端末装置１６に、暖房機７０が暖房運転を実行中であることを通知する。携帯端末装置１６では、暖房機７０が暖房運転を実行中であることを表示するとともに、暖房機７０に対する暖房運転の開始操作を禁止する。
【００３２】
ステップＳ６では、制御部９０は、居室リモコン８またはサーバ１４から、暖房機７０に対する暖房運転の停止指示を受信するまで待機する。暖房機７０に対する暖房運転の停止指示を受信するまでの間、制御部９０は、ヒートポンプ４０および給湯暖房ユニット５０を制御して、暖房機７０における暖房運転を継続する。ユーザが居室リモコン８を操作して暖房機７０の暖房運転の停止を指示すると、居室リモコン８は制御部９０に暖房機７０に対する暖房運転の停止指示を送信する。また、ユーザが携帯端末装置１６を操作して暖房機７０の暖房運転の停止を指示すると、携帯端末装置１６はサーバ１４に暖房機７０に対する暖房運転の停止指示を送信し、サーバ１４は制御部９０に暖房機７０に対する暖房運転の停止指示を送信する。制御部９０が暖房機７０に対する暖房運転の停止指示を受信すると（ステップＳ６でＹＥＳとなると）、処理はステップＳ８へ進む。
【００３３】
ステップＳ８では、制御部９０は、ヒートポンプ４０および給湯暖房ユニット５０を停止して、暖房機７０における暖房運転を停止する。
【００３４】
ステップＳ１０では、制御部９０は、居室リモコン８およびサーバ１４に、ユーザの手動操作に応じて暖房機７０の暖房運転を終了したことを通知する。居室リモコン８では、ユーザの手動操作に応じて暖房機７０の暖房運転が終了したことを表示するとともに、暖房機７０に対する暖房運転の停止操作を禁止する。また、サーバ１４は、携帯端末装置１６に、ユーザの手動操作に応じて暖房機７０の暖房運転が終了したことを通知する。携帯端末装置１６では、ユーザの手動操作に応じて暖房機７０の暖房運転が終了したことを表示するとともに、暖房機７０に対する暖房運転の停止操作を禁止する。ステップＳ１０の後、図３の処理は終了する。
【００３５】
（携帯端末装置１６からの開始操作による暖房運転）
以下では図４を参照しながら、給湯暖房システム２において、ユーザが携帯端末装置１６を操作して暖房運転の開始を指示した場合の動作の例について説明する。携帯端末装置１６は、暖房機７０に対する暖房運転の開始の指示を、サーバ１４および台所リモコン６を介して、制御部９０へ送信する。携帯端末装置１６から暖房運転の開始が指示されると、制御部９０は図４の処理を実行する。
【００３６】
ステップＳ１２では、制御部９０は、給湯暖房ユニット５０の暖房循環ポンプを駆動して暖房用熱媒の循環を開始するとともに、ヒートポンプ４０を駆動して暖房用熱媒の加熱を開始する。これによって、暖房機７０において暖房用熱媒が放熱して、暖房機７０における暖房運転が開始される。なお、制御部９０は、必要に応じて、給湯暖房ユニット５０のバーナを駆動して暖房用熱媒の加熱を行う。
【００３７】
ステップＳ１４では、制御部９０は、居室リモコン８およびサーバ１４に、暖房機７０が暖房運転を実行中であることを通知する。居室リモコン８では、暖房機７０が暖房運転を実行中であることを表示するとともに、暖房機７０に対する暖房運転の開始操作を禁止する。また、サーバ１４は、携帯端末装置１６に、暖房機７０が暖房運転を実行中であることを通知する。携帯端末装置１６では、暖房機７０が暖房運転を実行中であることを表示するとともに、暖房機７０に対する暖房運転の開始操作を禁止する。
【００３８】
ステップＳ１６では、制御部９０は、居室リモコン８またはサーバ１４から、暖房機７０に対する暖房運転の停止指示を受信したか否かを判断する。暖房機７０に対する暖房運転の停止指示を受信しない場合（ＮＯの場合）、処理はステップＳ１８へ進む。
【００３９】
ステップＳ１８では、制御部９０は、暖房機７０が暖房運転を開始してからの経過時間が所定期間（例えば２４時間）に達したか否かを判断する。暖房機７０が暖房運転を開始してからの経過時間が所定期間に達していない場合（ＮＯの場合）、処理はステップＳ１６へ戻る。
【００４０】
制御部９０がステップＳ１６、Ｓ１８の処理を繰り返している間に、ユーザが居室リモコン８を操作して暖房機７０の暖房運転の停止を指示すると、居室リモコン８は制御部９０に暖房機７０に対する暖房運転の停止指示を送信する。また、ユーザが携帯端末装置１６を操作して暖房機７０の暖房運転の停止を指示すると、携帯端末装置１６はサーバ１４に暖房機７０に対する暖房運転の停止指示を送信し、サーバ１４は制御部９０に暖房機７０に対する暖房運転の停止指示を送信する。
【００４１】
ステップＳ１６において、暖房機７０に対する暖房運転の停止指示を受信した場合（ＹＥＳの場合）、処理はステップＳ２０へ進む。ステップＳ２０では、制御部９０は、ヒートポンプ４０および給湯暖房ユニット５０を停止して、暖房機７０における暖房運転を終了する。
【００４２】
ステップＳ２２では、制御部９０は、居室リモコン８およびサーバ１４に、ユーザの手動操作に応じて暖房機７０の暖房運転を終了したことを通知する。居室リモコン８では、ユーザの手動操作に応じて暖房機７０の暖房運転が終了したことを表示するとともに、暖房機７０に対する暖房運転の停止操作を禁止する。また、サーバ１４は、携帯端末装置１６に、ユーザの手動操作に応じて暖房機７０の暖房運転が終了したことを通知する。携帯端末装置１６では、ユーザの手動操作に応じて暖房機７０の暖房運転が終了したことを表示するとともに、暖房機７０に対する暖房運転の停止操作を禁止する。ステップＳ２２の後、図４の処理は終了する。
【００４３】
ステップＳ１８において、暖房機７０が暖房運転を開始してからの経過時間が所定期間（例えば２４時間）に達した場合（ＹＥＳの場合）、処理はステップＳ２４へ進む。ステップＳ２４では、制御部９０は、ヒートポンプ４０および給湯暖房ユニット５０を停止して、暖房機７０における暖房運転を終了する。
【００４４】
ステップＳ２６では、制御部９０は、居室リモコン８およびサーバ１４に、暖房機７０の暖房運転が自動終了したことを通知する。居室リモコン８では、暖房機７０の暖房運転が自動終了したことを表示するとともに、暖房機７０に対する暖房運転の停止操作を禁止する。また、サーバ１４は、携帯端末装置１６に、暖房機７０の暖房運転が自動終了したことを通知する。携帯端末装置１６では、暖房機７０の暖房運転が自動終了したことを表示するとともに、暖房機７０に対する暖房運転の停止操作を禁止する。ステップＳ２６の後、図４の処理は終了する。
【００４５】
以上のように、本実施例の給湯暖房システム２（暖房システムの一例）は、家屋Ｈに設置されており、暖房運転を実行可能な給湯暖房装置４（暖房装置の一例）と、家屋Ｈに設置されており、給湯暖房装置４と通信可能な居室リモコン８（固定端末装置の一例）と、給湯暖房装置４と通信可能な携帯端末装置１６を備えている。給湯暖房装置４は、携帯端末装置１６から暖房運転の開始を指示された場合は、図４の処理に示すように、暖房運転の開始からの経過時間が所定時間に達した場合（所定の終了条件の一例）に、自動的に暖房運転を終了する。給湯暖房装置４は、居室リモコン８から暖房運転の開始を指示された場合は、図３の処理に示すように、暖房運転の開始からの経過時間が所定時間に達した場合であっても、自動的に暖房運転を終了しない。
【００４６】
上記の構成によれば、給湯暖房装置４は、携帯端末装置１６から暖房運転の開始を指示された場合は、所定の終了条件が満たされた場合に、自動的に暖房運転を終了する。従って、ユーザが、外出先から携帯端末装置１６を介して給湯暖房装置４に暖房運転の開始を指示した後、長時間にわたって帰宅しない場合には、所定の終了条件が満たされた時点で、暖房運転が自動的に終了する。これによって、ユーザが不在であるにも関わらず、給湯暖房装置４における暖房運転が長時間にわたって実行されることを防止し、無駄なエネルギーの消費を抑制することができる。また、上記の構成によれば、給湯暖房装置４は、居室リモコン８から暖房運転の開始を指示された場合は、所定の終了条件が満たされた場合であっても、自動的に暖房運転を終了しない。居室リモコン８から暖房運転の開始が指示される場合、ユーザは在宅中であると考えられる。従って、このような場合にまで、暖房運転を自動的に終了してしまうと、ユーザの利便性を損なってしまう。上記の構成によれば、このような場合については、所定の終了条件が満たされた場合であっても、自動的に暖房運転を終了しないことで、ユーザの利便性を確保することができる。
【００４７】
上記の給湯暖房システム２において、所定の終了条件は、暖房運転の開始からの経過時間が所定期間に達することを含んでいる。
【００４８】
上記の構成によれば、給湯暖房装置４は、携帯端末装置１６から暖房運転の開始を指示された場合に、暖房運転の開始から所定期間が経過すると、自動的に暖房運転を終了する。これによって、ユーザが不在であるにも関わらず、給湯暖房装置４における暖房運転が長時間にわたって実行されることを防止し、無駄なエネルギーの消費を抑制することができる。
【００４９】
なお、所定の終了条件としては、他の条件を用いてもよい。例えば、給湯暖房装置４は、携帯端末装置１６から暖房運転の開始を指示された場合は、現在の時刻が所定の時刻（例えば深夜２：００）になった場合に、自動的に暖房運転を終了し、居室リモコン８から暖房運転の開始を指示された場合は、現在の時刻が所定の時刻（例えば深夜２：００）になった場合であっても、自動的に暖房運転を終了しないように構成してもよい。あるいは、給湯暖房装置４は、携帯端末装置１６から暖房運転の開始を指示された場合は、家屋Ｈの内部の気温または外部の気温が所定の温度になった場合に、自動的に暖房運転を終了し、居室リモコン８から暖房運転の開始を指示された場合は、家屋Ｈの内部の気温または外部の気温が所定の温度になった場合であっても、自動的に暖房運転を終了しないように構成してもよい。
【００５０】
上記の給湯暖房システム２において、給湯暖房装置４は、床暖房機である暖房機７０（床暖房装置の一例）を備えている。
【００５１】
床暖房機は、他の暖房装置に比べて、暖房運転の開始から室内が十分に暖まるまでに時間を要するので、ユーザが、外出先から携帯端末装置１６を介して暖房運転の開始を指示する機会が多いと考えられる。上記の構成によれば、ユーザが、外出先から携帯端末装置１６を介して暖房運転の開始を指示する機会が多い床暖房機において、ユーザが不在であるにも関わらず、暖房運転が長時間にわたって実行されることを防止し、無駄なエネルギーの消費を抑制することができる。
【００５２】
なお、給湯暖房システム２において、給湯暖房装置４は、床暖房機の代わりに、他の暖房装置、例えば浴室暖房機、ファンコンベクタ等を備えていてもよい。
【００５３】
本実施例の給湯暖房システム２において、制御部９０が、携帯端末装置１６が家屋Ｈの内部に位置するか否かを判別可能な構成としてもよい。例えば、携帯端末装置１６を、自己の地理的位置を検出する位置検出手段を備えるように構成し、制御部９０を、家屋Ｈの地理的位置を記憶する位置記憶手段を備えるように構成し、制御部９０が、携帯端末装置１６の地理的位置と家屋Ｈの地理的位置を対比することで、携帯端末装置１６が家屋Ｈの内部に位置するか否かを判別してもよい。あるいは、携帯端末装置１６と、台所リモコン６または居室リモコン８を、近距離無線通信によって互いに通信可能であるように構成し、制御部９０が、携帯端末装置１６と、台所リモコン６または居室リモコン８の間で無線通信が確立した場合に、携帯端末装置１６が家屋Ｈの内部に位置すると判別してもよい。
【００５４】
制御部９０が、携帯端末装置１６が家屋Ｈの内部に位置するか否かを判別可能な構成である場合、給湯暖房装置４を次のように動作させてもよい。すなわち、制御部９０は、携帯端末装置１６から暖房機７０に対する暖房運転の開始が指示された場合に、携帯端末装置１６が家屋Ｈの外部に位置する場合は、図４の処理を実行し、携帯端末装置１６が家屋Ｈの内部に位置する場合は、図３の処理を実行するように、給湯暖房システム２を構成してもよい。
【００５５】
この場合、制御部９０は、携帯端末装置１６が家屋Ｈの内部に位置するか否かを判別する判別装置として機能するということができる。また、給湯暖房装置４は、携帯端末装置１６が家屋Ｈの内部に位置すると判別されており、かつ携帯端末装置１６から暖房運転の開始を指示された場合は、所定の終了条件が満たされた場合であっても、自動的に前記暖房運転を終了しないということができる。
【００５６】
携帯端末装置１６が家屋Ｈの内部に位置する状況で、携帯端末装置１６から暖房運転の開始を指示された場合、ユーザは在宅中であると考えられる。従って、このような場合にまで、暖房運転を自動的に終了してしまうと、ユーザの利便性を損なってしまう。上記の構成によれば、このような場合については、所定の終了条件が満たされた場合であっても、自動的に暖房運転を終了しないことで、ユーザの利便性を確保することができる。
【００５７】
また、制御部９０が、携帯端末装置１６が家屋Ｈの内部に位置するか否かを判別可能な構成である場合、給湯暖房装置４を次のように動作させてもよい。すなわち、制御部９０は、携帯端末装置１６から暖房機７０に対する暖房運転の開始が指示された場合に、図４の処理の代わりに、図５の処理を実行してもよい。
【００５８】
図５の処理は、図４の処理とほぼ同様であるが、ステップＳ１６とステップＳ１８の間に、ステップＳ１７が存在する点で異なる。図５の処理では、ステップＳ１６で、暖房機７０に対する暖房運転の停止指示を受信しない場合（ＮＯの場合）、ステップＳ１７に進む。ステップＳ１７では、制御部９０は、携帯端末装置１６が家屋Ｈの内部に位置するか否かを判断する。携帯端末装置１６が家屋Ｈの内部に位置する場合（ＹＥＳの場合）、処理はステップＳ１６に戻る。携帯端末装置１６が家屋Ｈの外部に位置する場合（ステップＳ１７でＮＯの場合）、処理はステップＳ１８に進む。
【００５９】
この場合、制御部９０は、携帯端末装置１６が家屋Ｈの内部に位置するか否かを判別する判別装置として機能するということができる。また、給湯暖房装置４は、携帯端末装置１６から暖房運転の開始を指示された後、自動的に暖房運転を終了する前に、携帯端末装置１６が家屋Ｈの内部に位置すると判別された場合は、所定の終了条件が満たされた場合であっても、自動的に暖房運転を終了しないということができる。
【００６０】
仮に、ユーザが、外出先から携帯端末装置１６を介して暖房運転の開始を指示した場合であっても、その後に、携帯端末装置１６が家屋Ｈの内部に位置すると判別された場合は、ユーザがすでに帰宅したものと考えられる。従って、このような場合にまで、暖房運転を自動的に終了してしまうと、ユーザの利便性を損なってしまう。上記の構成によれば、このような場合については、所定の終了条件が満たされた場合であっても、自動的に暖房運転を終了しないことで、ユーザの利便性を確保することができる。
【００６１】
なお、上記の構成において、制御部９０が、携帯端末装置１６が家屋Ｈの内部に位置するか否かを判別可能な構成とする代わりに、給湯暖房システム２が、携帯端末装置１６が家屋Ｈの内部に位置するか否かを判別可能な判別装置を制御部９０とは別に備えていてもよい。
【００６２】
上記の実施例では、暖房システムの一例として、給湯と暖房の両方を実行可能な給湯暖房装置４を備える給湯暖房システム２を例として説明したが、暖房のみを実行可能な暖房装置を備える暖房システムとしてもよい。
【００６３】
上記の実施例では、携帯端末装置１６がサーバ１４を介して給湯暖房装置４と通信可能である構成について説明したが、携帯端末装置１６がサーバ１４を介さずに給湯暖房装置４と通信可能な構成としてもよい。
【００６４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６５】
２      ：給湯暖房システム
４      ：給湯暖房装置
６      ：台所リモコン
８      ：居室リモコン
１０    ：ルータ
１２    ：インターネット
１４    ：サーバ
１６    ：携帯端末装置
４０    ：ヒートポンプ
４１    ：タンク
４２    ：給水管
４３    ：出湯管
４４    ：給水バイパス管
４５    ：給湯側混合弁
４６    ：給湯管
４７    ：風呂管
４９    ：給湯バイパス管
５０    ：給湯暖房ユニット
５１    ：浴槽
５２    ：バイパス制御弁
６０    ：暖房送り管
６２    ：第１暖房戻り管
６４    ：第２暖房戻り管
６６    ：暖房バイパス管
６８    ：暖房側混合弁
７０    ：暖房機
９０    ：制御部
【図１】
2019035530.tif 000003
【図２】
2019035530.tif 000004
【図３】
2019035530.tif 000005
【図４】
2019035530.tif 000006
【図５】
2019035530.tif 000007